(57)【要約】【課題】さまざまな種類の紙葉類を高速にかつ安定して搬送することができる紙葉類搬送装置を提供する。【解決手段】この紙葉類搬送装置は、搬送部、押付機構、吸付部、厚み検出部、制御部を備える。搬送部は紙葉類を上に載せて搬送する搬送ベルトを備える。押付機構は搬送ベルトの上に配置され、搬送ベルトにより搬送される紙葉類を上方から押し付ける。吸付部は搬送ベルトの下に配置され、搬送ベルトにより搬送される紙葉類を搬送ベルトに吸い付ける。厚み検出部は紙葉類の厚みを検出すると、制御部は厚み検出部により検出された紙葉類の厚みに応じた押付力で、紙葉類を搬送ベルトに押し付けるよう押付機構を制御する。【選択図】図１
2014065593.tif 000002
【特許請求の範囲】
【請求項１】
紙葉類を上に載せて搬送する搬送ベルトを備えた搬送部と、
前記搬送ベルトの上に配置され、前記搬送ベルトにより搬送される前記紙葉類を上方から押し付ける押付機構と、
前記搬送ベルトの下に配置され、前記搬送ベルトにより搬送される紙葉類を前記搬送ベルトに吸い付ける吸付部と、
前記紙葉類の厚みを検出する厚み検出部と、
前記厚み検出部により検出された前記紙葉類の厚みに応じた押付力で、前記紙葉類を前記搬送ベルトに押し付けるよう前記押付機構を制御する制御部と
を具備する紙葉類搬送装置。
【請求項２】
一側端にガイド板を有する搬送路に配置され、上に載せた紙葉類を前記搬送路に沿って搬送する第１搬送ベルトと、この第１搬送ベルトに併設され、上に載せた前記紙葉類を前記搬送路の側縁に設けた前記ガイド板の側へ導くように斜めに搬送する第２搬送ベルトとを備えた搬送部と、
前記第１搬送ベルトの上に配置され、前記第１搬送ベルトにより搬送される前記紙葉類を上方から押し付ける押付機構と、
前記第１搬送ベルトおよび前記第２搬送ベルトの下に配置され、前記第１搬送ベルトおよび前記第２搬送ベルトにより搬送される前記紙葉類を、前記第１搬送ベルトおよび前記第２搬送ベルトに吸い付ける吸付部と、
前記紙葉類の厚みを検出する厚み検出部と、
前記厚み検出部により検出された紙葉類の厚みに応じた押付力で、前記紙葉類を前記第１搬送ベルトに押し付けるよう前記押付機構を制御する制御部と
を具備する紙葉類搬送装置。
【請求項３】
前記制御部は、
前記紙葉類の厚みが規定値以下の場合、前記押付力を強くまたは前記紙葉類を押し付け、前記紙葉類の厚みが規定値を超える場合、前記押付力を弱くまたは前記紙葉類を押し付けないように前記押付機構を制御する請求項１または請求項２いずれかに記載の紙葉類搬送装置。
【請求項４】
前記紙葉類の厚みと押付力を対応させて記憶した記憶部を備え、
前記制御部は、
前記厚み検出部により検出された前記紙葉類の厚みに対応する押付力を前記記憶部から読み出し、読み出した前記押付力で前記紙葉類を押し付けるよう前記押付機構を制御する請求項１乃至請求項３いずれか１項に記載の紙葉類搬送装置。
【請求項５】
前記押付機構は、
前記押付力を多段階または無段階に可変可能である請求項１乃至請求項４いずれか１項に記載の紙葉類搬送装置。
【発明の詳細な説明】
【技術分野】
【０００１】
本発明の実施形態は、紙葉類を搬送する紙葉類搬送装置に関する。
【背景技術】
【０００２】
帳票などの紙葉類を高速に搬送しながら帳票から情報を読み取る帳票移動式の光学式文字読取装置（以下「ＯＣＲ装置」と称す）がある。帳票は例えばはがき以下の小さなサイズのものから大きなサイズのものまで、さまざまなサイズがある。汎用のＯＣＲ装置では、処理可能な帳票のサイズに幅を持たせるため、搬送幅が広い搬送路が作られている。
【０００３】
ところで、このように幅の広い搬送路にサイズの異なる帳票を混在させて搬送ベルトで高速に搬送すると、搬送中の帳票が、ばたついたり浮き上がったりして、搬送が不安定になる。
【０００４】
そこで、通常、汎用のＯＣＲ装置は、搬送路を配置された搬送ベルトの下から吸着ファンや吸着機で、帳票を搬送ベルトに吸い付けながら搬送することで搬送の安定化を図っている。
【先行技術文献】
【特許文献】
【０００５】
【特許文献１】特開２０１０−１４９９９１号公報
【発明の概要】
【発明が解決しようとする課題】
【０００６】
帳票は、サイズ（広さ）の違いだけでなく、厚みについても薄いものから厚いものまでさまざまな種類のものがあり、広さや厚みの異なる帳票をランダムにかつ高速に搬送する場合、以下のような問題がある。
【０００７】
厚みを考慮せずに帳票を一定の吸着力で吸着した場合、薄い帳票は搬送ベルトの隙間で凹み、よれてしまうことになる。また薄い帳票のために吸着力を弱くすると、厚い帳票が搬送ベルトから浮き上がることがあり、搬送が不安定になるという問題がある。
【０００８】
なお、搬送する帳票毎に吸着力を可変することが考えられるが、吸着ファンの吸着力の制御は、ファンの回転数を可変して行うため、高速に順次搬送される帳票に合わせて吸着力を可変制御することはできず、ある程度の搬送間隔が必要になる。
【０００９】
本発明が解決しようとする課題は、さまざまな種類の紙葉類を高速にかつ安定して搬送することができる紙葉類搬送装置を提供することを目的とする。
【課題を解決するための手段】
【００１０】
実施形態の紙葉類搬送装置は、搬送部、押付機構、吸付部、厚み検出部、制御部を備える。搬送部は紙葉類を上に載せて搬送する搬送ベルトを備える。押付機構は搬送ベルトの上に配置され、搬送ベルトにより搬送される紙葉類を上方から押し付ける。吸付部は搬送ベルトの下に配置され、搬送ベルトにより搬送される紙葉類を搬送ベルトに吸い付ける。厚み検出部は紙葉類の厚みを検出すると、制御部は厚み検出部により検出された紙葉類の厚みに応じた押付力で、紙葉類を搬送ベルトに押し付けるよう押付機構を制御する。
【図面の簡単な説明】
【００１１】
【図１】第１実施形態の帳票移動式ＯＣＲ装置の概要構成を示す図である。
【図２】図１の帳票移動式ＯＣＲ装置の制御系を示す図である。
【図３】図１の帳票移動式ＯＣＲ装置の搬送部を示す平面図である。
【図４】図３の側面図である。
【図５】帳票移動式ＯＣＲ装置の動作を示すフローチャートである。
【図６】第２実施形態の帳票移動式ＯＣＲ装置の制御系を示す図である。
【図７】図６の帳票移動式ＯＣＲ装置の搬送部を示す平面図である。
【発明を実施するための形態】
【００１２】
以下、図面を参照して実施形態を詳細に説明する。
（第１実施形態）
図１は紙葉類搬送装置の一つの実施の形態である帳票移動式の光学式文字読取装置（以下「帳票移動式ＯＣＲ装置」と称す）１０の構成（第１実施形態）を示すブロック図である。
【００１３】
図１に示すように、この帳票移動式ＯＣＲ装置１０は、ソータ２０と、ＯＣＲ装置本体３０とから構成される。
【００１４】
ＯＣＲ装置本体３０には、給紙部１、分離部２、帳票継ぎ足し機構３、搬送部５０、制御ホスト１００などが備えられている。給紙部１、分離部２、搬送部５０は、搬送路３１に配置されている。
【００１５】
帳票継ぎ足し機構３はＯＣＲ装置本体３０の筐体側面（前面）のホッパ台に取り付けられている。帳票継ぎ足し機構３には、装置内部に取り込まれる帳票Ｐが斜めに継ぎ足し可能な状態で積み重ねた状態で搭載される。なお、帳票Ｐは、搬送中に位置が変るため、その時々に応じて帳票Ｐ１、Ｐ２、Ｐ３などと表すものとする。
【００１６】
給紙部１はピックアップローラ等で構成される。給紙部１は、ＯＣＲ装置本体３０の筐体側面に取り付けられた帳票継ぎ足し機構３に斜めに積載された帳票ＰをＯＣＲ装置本体３０内に取り込む。
【００１７】
分離部２は同期ベルトで回転する上部のフィードローラと下部のセパレートローラで構成される。分離部２は、給紙部１により取り込まれた帳票Ｐが、例えば複数枚がほぼ同時に装置内に取り込まれた場合に１枚に分離し搬送部５０へ送り込む。
【００１８】
制御ホスト１００は、ＯＣＲアプリケーションソフトウェアプログラムを実装したコンピュータである。すなわち、制御ホスト１００は、操作部３５（図２参照）からの起動信号によりＯＣＲアプリケーションソフトウェアプログラムを起動し、そのプログラムによりＯＣＲ装置本体３０の動作制御を行う。
【００１９】
例えば制御ホスト１００は、ＯＣＲ装置本体３０により読み取られた帳票Ｐの画像の認識結果に基づいて、帳票Ｐの排出先のスタッカ指定やナンバリングデータの印字が、読み取り処理された帳票毎に行われるように、ＯＣＲ装置本体３０のコントローラ３７に指示を与える。
【００２０】
ソータ２０は、水平搬送路１１、垂直搬送路１３、搬送ローラ１４、分岐ゲートとしてのフラッパ１５、スタッカ部２３、各部の駆動部（図示せず）、印字部３２、読取部３４、コントローラ３７等を備えている。
【００２１】
水平搬送路１１は、ＯＣＲ装置本体３０の側で処理された紙葉類、例えばはがきサイズからＡ３サイズまでのさまざまな大きさ(広さ)の矩形の帳票Ｐなどを水平方向に搬送するための一定の搬送幅を持つ搬送路であり、搬送ベルトやその他のガイド板やローラ等で構成される。垂直搬送路１３は、水平搬送路１１を通じて搬送されてきた帳票Ｐを予め設定された排出目標のスタッカ部２３に搬送するための搬送路である。
【００２２】
読取部３４は、搬送部５０の下流の搬送路３１に設けられている。読取部３４は、搬送路３１上を搬送される帳票Ｐから画像を読み取る画像読取ユニットであり、例えば密着型のＣＣＤラインセンサ（密着センサ）などである。印字部３２は、読取部３４により情報が読み取られた帳票Ｐに対して印字処理する。
【００２３】
搬送ローラ１４は、垂直搬送路１３上に複数配置される。この搬送ローラ１４は、例えば一方向クラッチによって時計方向に回転する。この搬送ローラ１４は、供給された帳票Ｐを順次目標のスタッカ部２３に搬送する。搬送ローラ１４は、回転制御されるモータ等の駆動系により回転する。駆動系は、コントローラ３７によって動作制御される。
【００２４】
フラッパ１５は、水平搬送路１１と垂直搬送路１３との分岐位置、垂直搬送路１３とスタッカ部２３との分岐位置に設けられる。このフラッパ１５は、供給された帳票Ｐが目標のスタッカ部２３に振り分けられるように、この帳票Ｐの搬送方向を切り替える。
【００２５】
フラッパ１５は、リレー回路等によって、水平搬送路１１側または垂直搬送路１３側に切り替わり、帳票Ｐを振り分ける。フラッパ１５はリレー回路によって垂直搬送路１３側またはスタッカ部２３側に切り替わり、帳票Ｐをそれぞれの方向へ排出する。リレー回路は、コントローラ３７により動作が制御される。なお、ソータ２０は、複数連結して利用される場合もある。
【００２６】
図２は帳票移動式ＯＣＲ装置の制御系を示す図である。同図に示すように、この帳票移動式ＯＣＲ装置１０の制御系は、コントローラ３７と、コントローラ３７に接続された駆動部４４，４６，４７，６２と、センサ類（帳票センサＳ１、変位センサＳ０など）と、操作部３５と、読取部３４と、印字部３２と、吸着ファン９などで構成される。
【００２７】
操作部３５は装置本体の前面に設けられている。操作部３５には、この装置本体の起動・停止、帳票Ｐの処理開始や終了を指示する、処理設定をする、またエラーを解除するための釦類が設けられている。
【００２８】
各釦類はコントローラ３７に接続されており、各釦類が操作されることで、ユーザからの指示をコントローラ３７が受け付け、受け付けた指示に従い各部を制御する。帳票センサＳ１は、搬送路３１に沿って点在して配置された例えば発光部と受光部とを搬送路３１を上下方向にまたいで配置した赤外線センサ等の光センサである。
【００２９】
各帳票センサＳ１は、搬送路３１上を搬送される帳票Ｐを検出し、「明」、「暗」状態を通知信号としてコントローラ３７に通知する。帳票センサＳ１は、発光部から発光された光が受光部に受光されると、「明」信号をコントローラ３７へ通知し、搬送されてきた帳票Ｐによって光が遮断されると、「暗」信号を通知する。
【００３０】
制御系の主部であるコントローラ３７は、ＣＰＵ４１、メモリ４２およびインターフェース４３を有している。
【００３１】
ＣＰＵ４１は、変位センサＳ０により検出された帳票Ｐの厚みが予めメモリ４２に設定された規定値以下の場合、押付力を強くして押し付けるように押付機構６０を制御する。また変位センサＳ０により検出された帳票Ｐの厚みが規定値を超える場合、押付力を弱くして押し付けるように押付機構６０を制御する。
【００３２】
具体的には、メモリ４２には、予め帳票Ｐの厚みと押付力とが対応して記憶されている。例えば帳票Ｐの厚み０．０１−０．０９ｍｍ（薄い帳票）に対して押付力「強」、帳票Ｐの厚み０．１０−０．１５ｍｍ（中厚の帳票）に対して押付力「中」、帳票Ｐの厚み０．１６−０．２０ｍｍ（厚手の帳票）に対して押付力「弱」、帳票Ｐの厚み０．２０ｍｍ以上のものは「押付なし」、などが記憶されている。
【００３３】
なお、押付力に変えて、押し付けに関するパラメータ（モータの回転角など）を設定してもよい。また上の例では、厚みと押付力との関係を細分したが、帳票Ｐの厚みが規定値以下の場合に押し付け、帳票Ｐの厚みが規定値を超えた場合は押し付けない、などの二者択一方式にしてもよい。
【００３４】
インターフェース４３には、この装置内の各部からの内部バスが接続されている。各部とは、読取部３４、操作部３５、モータ、搬送ベルト、ギヤを含む駆動部４４〜４７、変位センサＳ０、帳票センサＳ１等である。
【００３５】
コントローラ３７のＣＰＵ４１は、変位センサＳ０により検出された帳票Ｐの厚みに対応する押付力をメモリ４２から読み出し、読み出した押付力で帳票Ｐを搬送ベルト４ａに押し付けるよう押付機構６０の駆動部６２を制御する。
【００３６】
コントローラ３７は、帳票センサＳ１からの通知信号により、帳票Ｐが各センサＳ１の位置に達したことが検出されると、吸着ファン９、搬送ベルト４ａの駆動制御を行う。
【００３７】
駆動部４４は、コントローラ３７により制御されて搬送ベルト４ａを駆動する。駆動部４６は、コントローラ３７により制御されて駆動ローラ７ａを駆動する。駆動部４７は、コントローラ３７により制御されてフラッパ１５を駆動する。
【００３８】
ＯＣＲ装置本体３０では、コントローラ３７が、制御ホスト１００からの指示に基づいて、各駆動部および各機構、リレーなどを制御し、帳票Ｐを処理する。なおコントローラ３７が、ＯＣＲアプリケーションソフトウェアプログラムを実装して、制御ホスト１００を接続することなく上述した画像の認識処理を行なうようにすることも可能である。
【００３９】
図３、図４に示すように、搬送部５０は、駆動ローラ７ａと従動ローラ７ｂと変位センサＳ０から構成される厚み検出部８と、搬送路３１に複数列設された搬送手段としての搬送ベルト４ａと、搬送ベルト４ａを駆動するベルト駆動機構（回転軸６ａ、駆動部４４）と、搬送ベルト４ａの上に配置された押付機構６０と、搬送ベルト４ａの下に配置された吸着ファン９と、搬送ベルト４ａの搬送方向側面に立設された搬送基準面を備えたガイド板１６とを有する。
【００４０】
厚み検出部８の駆動ローラ７ａと従動ローラ７ｂはそれぞれの外周面が接するように上下に対向して配置されている。ローラ７ａは、搬送部５０の入口に設けられている。ローラ７ａは、搬送路３１を横切る方向に軸支されており、回転可能である。ローラ７ａは、駆動部４６により駆動される。駆動部４６はコントローラ３７により制御されてローラ７ａを回転させる。
【００４１】
従動ローラ７ｂは軸が上下に移動自在に設けられている。帳票Ｐが駆動ローラ７ａと従動ローラ７ｂとの間を通過するときに、従動ローラ７ｂが帳票Ｐの厚みの分だけ上昇し、従動ローラ７ｂの上昇を変位センサＳ０が検出し、上昇量を示す信号をコントローラ３７へ出力する。
【００４２】
コントローラ３７は変位センサＳ０の上昇量から帳票Ｐの厚みを検出する。すなわちコントローラ３７と厚み検出部８で帳票Ｐの厚みを検出する。コントローラ３７は、変位センサＳ０により検出された帳票Ｐの厚みに応じた押付力で、当該帳票Ｐを搬送ベルト４ａに押し付けるよう押付機構６０を制御する。
【００４３】
搬送ベルト４ａは、分離部２により分離された１枚ごとの帳票を上に載せて順次搬送する。押付機構６０は、例えばモータなどの駆動部６２と、駆動部６２により一定の範囲（矢印Ａ）で回動される押付板６１とを有する。
【００４４】
押付機構６０は、搬送ベルト４ａにより搬送される帳票Ｐを上方から押し付ける。押付機構６０は、モータで押付板６１を駆動するため、押付力を多段階または無段階に可変可能である。この押付機構６０の押付力は、吸着ファン９の吸付力に負けない程度の押付力である。
【００４５】
押付板６１は、例えばアクリル板などのしなる素材のもの（弾性体）を用いている。押付機構６０は、コントローラ３７による制御で駆動部６２（モータ）を回動させて、搬送ベルト４ａにより搬送される帳票Ｐに、上方から押付板６１を押し付ける。なお押付機構６０の駆動をモータで行う以外に、バネや弾力性のある板の反発力などを利用してもよい。
【００４６】
すなわち、このコントローラ３７と押付機構６０は、変位センサＳ０により検出された帳票Ｐの厚みに応じた押付力で、帳票Ｐを搬送ベルト４ａに押し付ける押付手段として機能する。
【００４７】
吸着ファン９は、風を下方に発生させて帳票Ｐを搬送ベルト４ａに吸い付け（吸着させ）つつ搬送する吸付部であり、搬送ベルト４ａの下から帳票Ｐを吸い付ける構成とされている。吸付部としては、これ以外に、例えばバキューム装置などの吸気装置を用いてもよい。すなわち吸着ファン９は搬送ベルト４ａの下に配置され、搬送ベルト４ａの上に載って搬送される帳票Ｐを搬送ベルト４ａに吸い付ける吸付部として機能する。
【００４８】
ガイド板１６は、小型帳票の寸法に合わせて搬送基準とされるものであり、帳票Ｐが搬送される搬送路３１の一方の側面に設けられ、帳票Ｐの一縁（図３では搬送方向左側の辺）をガイドする。
【００４９】
回転軸６ａは、帳票Ｐの搬送方向と直交する方向に軸支されている。つまり９０°で設置されている。２つの回転軸６ａ間には、それぞれの軸に回動自在に支持された複数のローラにそれぞれ搬送ベルト４ａが架けられている。搬送ベルト４ａは、駆動部４４により駆動される。
【００５０】
そして、コントローラ３７は、読取部３４により帳票Ｐから読み取られた画像を制御ホスト１００へ送る。コントローラ３７は、制御ホスト１００からの指示により、搬送中の帳票Ｐに対する処理（印字処理など）を行う。コントローラ３７は、制御ホスト１００からの指示により、帳票Ｐのソータ２０での配紙制御を行う。
【００５１】
以下、図５のフローチャートを参照して帳票移動式ＯＣＲ装置の動作を説明する。
この帳票移動式ＯＣＲ装置の場合、帳票処理を開始するためにユーザが操作部３５の釦操作を行うことにより、この指示をコントローラ３７が受け付け、給紙動作を開始する。
【００５２】
給紙動作では、帳票継ぎ足し機構３に積載された帳票Ｐが、給紙部１により搬送部５０内に取り込まれ（図５のステップＳ１０１）、分離部２によって帳票Ｐが１枚ずつに分離され（ステップＳ１０２）、搬送部５０へ供給される。
【００５３】
通常のベルト制御では、すべてのベルト駆動系の速度（周速）は等しく、分離部２によって１枚に分離された帳票Ｐが、搬送部５０に入ると、吸着ファン９の吸引力（吸着力）で、搬送ベルト４ａに吸い付けられながら搬送される。
【００５４】
搬送部５０では、帳票Ｐが厚み検出部８を通過したときに、ＣＰＵ４１により帳票Ｐの厚みが検出される（ステップＳ１０３）。
【００５５】
そして、ＣＰＵ４１は、検出した厚みに応じた押付力をメモリ４２から読み出し、その押付力で帳票Ｐを押し付けるよう押付機構６０を制御する。
【００５６】
これにより、押付機構６０は、搬送ベルト４ａにて搬送中の帳票Ｐを上方から押付板６１の面で搬送ベルト４ａに押し付け、帳票Ｐは搬送ベルト４ａに押し付けられながら搬送される（ステップＳ１０４）。
【００５７】
この場合、薄い帳票Ｐには強い押付力がかけられ、厚い帳票Ｐには弱い押付力がかけられる。
【００５８】
このようにこの第１実施形態の帳票移動式ＯＣＲ装置によれば、搬送部５０の入口に厚み検出部８を設け、搬送ベルト４ａの上に押付機構６０を配置したことで、搬送される帳票Ｐの厚みを検出し、厚みの薄い帳票Ｐについては押付機構６０により上方から搬送ベルト４ａに押し付け、搬送方向に平行な速度ベクトルをより強く与えることで、搬送基準面への押し付けすぎを緩和できる。この結果、帳票Ｐの搬送動作や読取位置および印字位置が安定し、さまざまな厚みの帳票Ｐを高速にかつ安定して搬送することができる。
【００５９】
（第２実施形態）
図６は帳票移動式ＯＣＲ装置１０の制御系の第２実施形態を示す図、図７は図６の帳票移動式ＯＣＲ装置の搬送部を示す平面図である。
【００６０】
図６、図７に示すように、この帳票移動式ＯＣＲ装置１０は、搬送ベルト４ｂと、この搬送ベルト４ｂを駆動する駆動部４５とを有する。駆動部４５は、コントローラ３７により制御されて搬送ベルト４ｂを駆動する。
【００６１】
搬送ベルト４ｂは、搬送ベルト４ａに併設して搬送ベルト４ａの搬送方向左側（ガイド板１６の側）に配置されている。搬送ベルト４ｂは、帳票Ｐの搬送方向と直交する方向（搬送路３１を横切る方向：搬送路の幅方向）に対して若干傾きをもたせて両側の回転軸６ｂに支持、つまり両側の回転軸６ｂ間に架けられている。すなわち、ガイド板１６の側の搬送ベルト４ｂは、帳票Ｐを搬送基準面（ガイド板１６）の側へ搬送するように傾斜して設けられている。
【００６２】
回転軸６ｂは、搬送方向と直交する方向に対して例えば８０°などに傾斜して設置されている。このため、搬送ベルト４ｂにより搬送される帳票Ｐは、ガイド板１６に寄ってゆくことになり、一端がガイド板１６の面に揃えられる。
【００６３】
ガイド板１６の設置位置、つまり搬送基準面が、帳票Ｐの搬入方向から見て左端側であれば、複数の帳票センサＳ１のうち帳票先端検出用のセンサＳ１は一番左寄り、すなわちガイド板１６の近傍に設置されるものである。他のセンサＳ１は、そのセンサＳ１と幅方向に並ぶように一定の距離をおいて設置される。複数のセンサＳ１で帳票Ｐを検出することにより、帳票Ｐの搬送幅方向の偏り加減を把握できる。また複数のセンサＳ１の帳票検知の時間差により、帳票Ｐの斜行状況も把握することができる。
【００６４】
すなわち、この搬送部５０は、一側端にガイド板１６を有する搬送路３１に配置され、上に載せた帳票Ｐを搬送路３１に沿って搬送する第１搬送ベルトとしての搬送ベルト４ａと、この搬送ベルト４ａに併設され、上に載せた帳票Ｐを搬送路３１の側縁に設けたガイド板１６の側へ導くように斜めに搬送する第２搬送ベルトとしての搬送ベルト４ｂとを備える。
【００６５】
吸着ファン９は、搬送ベルト４ａおよび搬送ベルト４ｂにより搬送される帳票Ｐを、搬送ベルト４ａおよび搬送ベルト４ｂに吸い付ける吸付部として機能する。
【００６６】
給紙部１は、ホッパ台から帳票Ｐを給紙する際に、回転するローラ表面の摩擦力で帳票Ｐを引き込むだけであるため、ホッパ台にセットされる帳票の幅（サイズ）が異なる場合、特に、幅の狭い帳票Ｐは、搬送路の幅方向（左右）に位置がずれることがある。
【００６７】
したがって、帳票Ｐが読取部３４の位置に達する前段階、つまり搬送部５０の中で、帳票Ｐの搬送位置を修正（アライニング）する必要がある。
【００６８】
帳票移動式のＯＣＲ装置では、大小のサイズのものがランダムに混在する帳票Ｐを機械的に高速に搬送しながら帳票Ｐをアライニングすることになる。
【００６９】
この第２実施形態では、分離部２により分離された１枚の帳票Ｐを搬送部５０内で搬送する際に、大小にかかわらず、すべての帳票Ｐを搬送ベルト４ｂにてガイド板１６の方向へ移動させて帳票Ｐの一辺をガイド板１６に当てて揃えるようにする。
【００７０】
この際、比較的厚みの薄い帳票Ｐは、こしがないため、搬送ベルト４ｂにより端に移動されてガイド板１６に当接した際に、その衝撃で、よれたり、めくり上がったりする。
【００７１】
そこで、この第２実施形態では、帳票Ｐの厚さを検出し、検出した帳票Ｐの厚さが薄い場合、押付機構６０を動作させてその帳票Ｐを搬送ベルト４ａへ強く押し付け、帳票Ｐに対して搬送方向への速度ベクトルを与える。
【００７２】
これにより、厚みの薄い帳票Ｐの直進性が増し、搬送ベルト４ｂで帳票Ｐが斜めに流れてガイド板１６に当たる力を弱めることができる。
【００７３】
このようにこの第２実施形態によれば、搬送方向に平行な搬送ベルト４ａと斜め方向の搬送ベルト４ｂとを併設し搬送ベルト４ｂにて帳票Ｐの一辺をガイド板１６に当てて揃える機構を有する帳票移動式ＯＣＲ装置において、上記第１実施形態と同様に、搬送部５０の入口で帳票Ｐの厚さを測り、計測した帳票Ｐの厚さが薄い場合、その帳票Ｐを搬送ベルト４ａへ強く押し付けることで帳票Ｐの直進性を増し、搬送ベルト４ｂで帳票Ｐが斜めに流れてガイド板１６に当たる力を弱めることができる。
【００７４】
この結果、帳票Ｐの搬送動作や読取位置および印字位置が安定し、さまざまな厚みの帳票Ｐを高速にかつ安定して搬送することができる。
【００７５】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１…給紙部、２…分離部、３…帳票継ぎ足し機構、４ａ，４ｂ…搬送ベルト、７ａ…駆動ローラ、６ａ，６ｂ…回転軸、７ｂ…従動ローラ、９…吸着ファン、１１…水平搬送路、１４…搬送ローラ、１５…フラッパ、１６…ガイド板、２０…ソータ、２３…スタッカ部、３０…ＯＣＲ装置本体、３１…搬送路、３４…読取部、３５…操作部、３７…コントローラ、４２…メモリ、４３…インターフェース、４４〜４７…駆動部、５０…搬送部、Ｓ０…変位センサ、Ｓ１…帳票センサ、Ｐ…帳票
【図１】
2014065593.tif 000003
【図２】
2014065593.tif 000004
【図３】
2014065593.tif 000005
【図４】
2014065593.tif 000006
【図５】
2014065593.tif 000007
【図６】
2014065593.tif 000008
【図７】
2014065593.tif 000009